(57)【要約】【課題】ドラム缶風呂として、小児用に適し、かまどを組む必要がなく、湯が溢れたり零れたりしても湯沸かしの火が消えず、嵩張らず運搬や輸送が容易なものを提供する。【解決手段】ドラム缶Ｄを上下に二分割した一方側の湯船１とする第１分割缶体Ｄ１と、他方側の燃焼室２とする第２分割缶体Ｄ２とからなり、周面に焚口２０を開設した第２分割缶体Ｄ２の上に第１分割缶体Ｄ１を積み重ね可能であり、積み重ねた両分割缶体Ｄ１，Ｄ２相互の横ずれを防止する係止部３を備え、第１分割缶体Ｄ１内に収容した水Ｗを第２分割缶体Ｄ２内での燃料Ｆの燃焼熱で湯沸かしするように構成されてなる。【選択図】図１
2018139770.tif 000002
【特許請求の範囲】
【請求項１】
ドラム缶を上下に二分割した一方側の底板又は固着天板を有する第１分割缶体と、他方側の第２分割缶体とからなり、
周面に焚口を開設した第２分割缶体を燃焼室として、その上に前記底板又は固着天板を下側にした第１分割缶体を湯船として積み重ね可能であり、
第１分割缶体の下端側と第２分割缶体の上端側の一方又は両方に、積み重ねた両分割缶体相互の横ずれを防止する係止部が突設され、
第１分割缶体内に収容した水を第２分割缶体内での燃料の燃焼熱で湯沸かしするように構成されてなるドラム缶風呂。
【請求項２】
第２分割缶体の周面上部に排煙口が設けられてなる請求項１に記載のドラム缶風呂。
【請求項３】
第１分割缶体の上端周縁に、ゴム又はプラスチック製の周縁カバーが装着されてなる請求項１又は２に記載のドラム缶風呂。
【請求項４】
第１分割缶体の下部に止水コック付きの排水口が設けられてなる請求項１〜３のいずれかに記載のドラム缶風呂。
【請求項５】
第１分割缶体内に装填する木製の落とし蓋を付属すると共に、該落し蓋に係合し得る浮上がり防止片が第１分割缶体の内周面下部に設けられてなる請求項１〜４のいずれかに記載のドラム缶風呂。
【発明の詳細な説明】
【技術分野】
【０００１】
本発明は、特に幼稚園児や保育園児の如き小児用に適する簡易な組立式のドラム缶風呂に関する。
【背景技術】
【０００２】
従来より、キャンプ地や災害被災地等の屋外で用いる簡易な風呂として、ドラム缶風呂が多用されている。このドラム缶風呂は、コンクリートブロックや煉瓦、岩石等を組んで造ったかまどの上に、使用済みのドラム缶を縦に載せ、該ドラム缶に収容した水をかまどに入れた薪や炭等の燃料の燃焼熱で加熱して湯沸かしするものであり、火傷防止のためにドラム缶内に装填した簀の子のような木製の落とし蓋に乗る形で入浴するのが一般的である（非特許文献１，２）。また、ドラム缶風呂のドラム缶や調理器具を載せて加熱するための専用の火鉢（かまど）も提案されている（特許文献１）。
【先行技術文献】
【非特許文献】
【０００３】
【非特許文献１】インターネット・ウエブ・独立行政法人国立青少年教育振興機構・ドラム缶風呂いい湯だな！、検索日：2017年2月10日、http://www.niye.go.jp/navi/play/32905439451bla69ea994b20130607182342/
【非特許文献２】インターネット・ウエブ・公益財団法人ブルーシー・アンド・グリーンランド財団・大自然の中でドラム缶風呂を楽しもう!、検索日：2017年2月10日、http://www.bgf.or.jp/machirepo/18
【特許文献】
【０００４】
【特許文献１】特開２０１２−２３７５１４号公報
【発明の概要】
【発明が解決しようとする課題】
【０００５】
しかしながら、従来汎用のドラム缶風呂では、ドラム缶の内高が概して８００〜９００ｍｍ程度であるため、幼稚園児や保育園児の如き小児には湯船として深過ぎるという問題があることに加え、かまどには入浴者を含む湯船の大きな重量が加わるから、コンクリートブロックや煉瓦、岩石等でしっかりと崩れないように組み上げるのに多大な労力を要する上、湯が溢れたり零れたりした際にかまどの火が消える懸念もあり、またドラム缶が嵩張って運搬や輸送をしにくいという難点もあった。一方、特許文献１のような専用の火鉢を用いる場合は、かまどを組む手間は省けても火鉢自体がコスト高になる。
【０００６】
本発明は、上述の事情に鑑みて、ドラム缶風呂として、幼稚園児や保育園児の如き小児用に適し、しかも従来のようにコンクリートブロックや煉瓦、岩石等でかまどを組む必要がない上、湯が溢れたり零れたりしても湯沸かしの火が消える懸念はなく、嵩張らず運搬や輸送が容易なものを提供することを目的としている。
【課題を解決するための手段】
【０００７】
上記目的を達成するための手段を図面の参照符号を付して示せば、請求項１の発明に係るドラム缶風呂は、ドラム缶Ｄを上下に二分割した一方側の底板１２又は固着天板１３を有する第１分割缶体Ｄ１と、他方側の第２分割缶体Ｄ２とからなり、周面に焚口２０を開設した第２分割缶体Ｄ２を燃焼室２として、その上に底板１２又は固着天板１３を下側にした第１分割缶体Ｄ１を湯船１として積み重ね可能であり、第１分割缶体Ｄ１の下端側と第２分割缶体Ｄ１の上端側の一方又は両方に、積み重ねた両分割缶体Ｄ１，Ｄ２相互の横ずれを防止する係止部３が突設され、第１分割缶体Ｄ１内に収容した水Ｗを第２分割缶体Ｄ２内での燃料Ｆの燃焼熱で湯沸かしするように構成されてなる。
【０００８】
請求項２の発明は、上記請求項１のドラム缶風呂において、第２分割缶体Ｄ２の周面上部に排煙口４が設けられてなる構成としている。
【０００９】
請求項３の発明は、上記請求項１又は２のドラム缶風呂において、第１分割缶体Ｄ１の上端周縁１ａに、ゴム又はプラスチック製の縁カバー５が装着されてなる構成としている。
【００１０】
請求項４の発明は、上記請求項１〜３のいずれかのドラム缶風呂において、第１分割缶体Ｄ１の下部に止水コック６ａ付きの排水口６が設けられてなる構成としている。
【００１１】
請求項５の発明は、上記請求項１〜４のいずれかのドラム缶風呂において、第１分割缶体Ｄ１内に装填する木製の落とし蓋７を付属すると共に、該落し蓋７に係合し得る浮上がり防止片８が第１分割缶体Ｄ１の内周下部に設けられてなる構成としている。
【発明の効果】
【００１２】
次に、本発明の効果について、図面の参照符号を付して説明する。請求項１の発明に係るドラム缶風呂では、ドラム缶Ｄを上下に二分割した一方側の第１分割缶体Ｄ１により、元のドラム缶Ｄの底板１２又は固着天板１３を浴底とした湯船１を構成するから、ドラム缶Ｄ全体を湯船とする場合に比較し、浴槽が浅くなって幼稚園児や保育園児の如き小児でも安全に入浴できる。そして、他方側の第２分割缶体Ｄ２は周面に焚口２０を有する燃焼室２とし、その上に第１分割缶体Ｄ１からなる湯船を積み重ねて使用するから、元のドラム缶Ｄの全体を無駄なく再利用でき、しかも従来のようなコンクリートブロックや煉瓦、岩石等でかまどを組むのに費やす多大な労力及び時間を解消できる上、燃焼室２の周囲が第２分割缶体Ｄ２の周壁で囲まれていることで高い加熱効率が得られる。また、両分割缶体Ｄ１，Ｄ２が係止部３によって横ずれのない安定した積み重ね状態に維持されるから、入浴時に両分割缶体Ｄ１，Ｄ２がずれて倒壊するような事故を確実に防止できると共に、入浴時に湯が溢れたり零れたりしても燃焼室２内には入り込みにくく、燃焼室２内の燃焼中の燃料Ｆに湯がかかって不用意に消火してしまう懸念はないため、濡れた燃料Ｆの入替えや再着火のための火起こし等の手間が不要になる。更に、ドラム缶Ｄが上下に二分割されているから、嵩張らず、運搬や輸送が容易であり、乗用車内やトラック荷台に対する積み下ろしも楽に行える。
【００１３】
請求項２の発明によれば、第２分割缶体Ｄ２の周面上部に排煙口４を備えるから、燃焼室２内で発生した燃焼ガス及び煙を効率よく外部へ排出できると共に、その排出によって焚口２０からの空気流入が促進され、もって高い燃焼効率が得られる。
【００１４】
請求項３の発明によれば、第１分割缶体Ｄ１の上端周縁にゴム又はプラスチック製の縁カバー５が装着されているから、該上端周縁１ａに触れて怪我をする危険性がなく、入浴者が該上端周縁１ａを掴むことで湯船１に出入りし易くなる。
【００１５】
請求項４の発明によれば、第１分割缶体Ｄ１の下部に止水コック６ａ付きの排水口６を備えるから、使用中に湯船１の水量を減らしたり、使用後の湯を排出したりすることが容易になる。
【００１６】
請求項５の発明によれば、湯船１の底に触れて火傷するのを防ぐために木製の落とし蓋７を用いるが、該落し蓋７を第１分割缶体Ｄ１の内周下部の浮上がり防止片８に係合して湯船１の底に定置できるから、出入浴の際に該落し蓋７が不用意に浮き上がって足裏を火傷するような事態を未然に防止できる。
【図面の簡単な説明】
【００１７】
【図１】本発明の一実施形態に係るドラム缶風呂の斜視図である。
【図２】同ドラム缶風呂の材料とするドラム缶の正面図である。
【図３】同ドラム缶風呂の湯船を構成する第１分割缶体を示し、（ａ）は側面図、（ｂ）は平面図である。
【図４】同ドラム缶風呂の燃焼室を構成する第２分割缶体を示し、（ａ）は側面図、（ｂ）は平面図である。
【図５】同ドラム缶風呂の組立操作を示す側面図である。
【図６】同ドラム缶風呂に用いる落とし蓋を示し、（ａ）は一部破断平面図、（ｂ）は側面図である。
【図７】同ドラム缶風呂の湯沸かし状態を示す縦断側面図である。
【発明を実施するための形態】
【００１８】
以下、本発明に係るドラム缶風呂の一実施形態について、図面を参照して具体的に説明する。なお、ドラム缶には、抽出口付きの天板がドラム缶本体の上端開口部に周縁でカーリングして加締固着されたクローズドタイプと、天板がドラム缶本体の上端開口部に締結バンドを介して着脱可能に嵌装されたオープンタイプとがあるが、本実施形態ではクローズドタイプを用いたドラム缶風呂を例示している。
【００１９】
このドラム缶風呂は、図１で示すように、燃焼室２を構成する円筒状の第２分割缶体Ｄ２上に、湯船１を構成する円筒状の第１分割缶体Ｄ１が同心状に積み重ねられており、焚口２０から燃焼室２内へ投入した薪や炭等の燃料を燃やし、その燃焼熱によって湯船１に収容した水Ｗを加熱して湯沸かしするようになっている。
【００２０】
ここで、両分割缶体Ｄ１，Ｄ２は、図２に示すドラム缶Ｄを胴部１１の上下リブ１１ａ，１１ａの間において水平カット線Ｃで分割したものから構成されている。すなわち、第１分割缶体Ｄ１が上下に分割したドラム缶Ｄの下側部分よりなり、第２分割缶体Ｄ２が同ドラム缶Ｄの上側部分よりなる。
【００２１】
第１分割缶体Ｄ１は、図３（ａ）（ｂ）で示すように、元のドラム缶Ｄの底板１２を浴底としており、分割した端縁である上端周縁１ａが外側へカーリング加工され、そのカーリング部分を包み込むように、ゴム又はプラスチック製の縁カバー５が接着又は嵌合によって装着される一方、下端側の周方向に等配する複数箇所（図では４箇所）に、外周面へのアングル材の溶接による係止部３が下向きに突設されている。また、この第１分割缶体Ｄ１の下部には、止水コック６ａ付きの排水口６が設けられると共に、Ｌ字状金具からなる一対の浮上がり防止片８が内周の径方向対向位置に溶接固着されている。なお、第１分割缶体Ｄ１の下端周縁１ｂは、元のドラム缶Ｄにおける底板１２の加締固定で外側へカーリングされた状態になっている。
【００２２】
第２分割缶体Ｄ２は、図４（ａ）（ｂ）で示すように、元のドラム缶Ｄの固着天板１３が底側になるように上下を逆にして用いており、分割した端縁である上端周縁２ａが外側へカーリング加工されている。そして、この第２分割缶体Ｄ２の周面には、下部側の切欠による矩形の焚口２０が形成されると共に、該焚口２０とは径方向反対側の上部に位置して、外側へ突出する円筒状の排煙口４が複数個（図では３個）のＬ字金具４１を介してねじ止め固着されている。なお、固着天板１３には抽出口１４及び通気口１５の孔があるが、共にキャップ１４ａ，１５ａにて封鎖されている。また、第２分割缶体Ｄ２の下端周縁２ｂは、元のドラム缶Ｄにおける該固着天板１２の加締固定で外側へカーリングされた状態になっている。
【００２３】
ドラム缶風呂を組み立てるには、図５に示すように、第２分割缶体Ｄ２上に第１分割缶体Ｄ１を積み重ねるだけでよい。この積み重ねにより、第１分割缶体Ｄ１の下端側から下方突出する各係止部３が第２分割缶体Ｄ２の上端側に外側から係合するから、両分割缶体Ｄ１，Ｄ２が同心状の積み重ね状態で相互に横ずれ不能に保持され、第１分割缶体Ｄ１のカーリングされた下端周縁１ｂと第２分割缶体Ｄ２の同じくカーリングされた上端周縁２ａとが接合することになる。
【００２４】
図６（ａ）（ｂ）は、入浴者が湯船１の底に触れて火傷するのを防ぐために用いる木製の落とし蓋７を示す。この落とし蓋７は、六角形の各辺に対応する６本の角材７１と、該六角形の対角線に沿う１本の角材７２とで構成される下枠７ｂ上に、複数枚（図では７枚）の帯板材７３を並行配列でビス止めすることで、外郭円形の簀の子板７ａを形成している。そして、下枠７ｂにおける六角形の対角線に沿う角材７２の両端部と、その各片側に隣接する角材７１の端部とにわたり、上面側一部を切除することにより、該下枠７ｂと簀の子板７ａの下面との間で径方向両側一対の係止溝７０を形成している。
【００２５】
このような落とし蓋７は、図７の使用状態で示すように、湯船１内に落とし込むが、その各係止溝７０に第１分割缶体Ｄ１の内側下部の浮き上がり防止片８を係合させることにより、水Ｗ（湯）が入った状態でも浮き上がることなく該湯船１の内底部に定置される。その定置操作は、係止溝７０の側方で下枠７ｂの外縁と簀の子板７ａの外縁との間隔が大きい位置、つまり簀の子板７ａの上面に表示した三角マークの位置Ｐ１に、浮き上がり防止片８が配置する回転姿勢で落とし蓋７を湯船１内に落とし込んだのち、浮き上がり防止片８が係止溝７０の位置、つまり簀の子板７ａの上面に表示した長方形マークの位置Ｐ２に来るように、落とし蓋７を回動させればよい。
【００２６】
上記構成のドラム缶風呂を使用するには、図７に示すように、第２分割缶体Ｄ２からなる燃焼室２内に薪や炭等の燃料Ｆを装填すると共に、この第２分割缶体Ｄ２上に積み重ねた第１分割缶体Ｄ１からなる湯船１の内底に落とし蓋７を定置した上で、該湯船１内に適量の水Ｗを収容し、燃焼室２内の燃料Ｆに着火することにより、その燃焼熱で湯船１内の水Ｗを加熱して湯沸かしし、湯が適温（一般に４０℃前後）になった段階で燃料Ｆの火勢を弱め、順次に湯船１に漬かって入浴すればよく、入浴者が幼稚園児や保育園児の如き小児の場合には数人が一緒に入浴できる。そして、この入浴に際し、湯量が多過ぎて湯船１から溢れそうな場合は、排水口６の止水コック６ａを開いて適正水位まで湯抜きすればよい。また、使用後の湯を湯船１から排出する際にも、該排水口６の止水コック６ａを開いて簡単に湯抜きできる。なお、このドラム缶風呂にあっては、湯船１として湯と入浴者を含む第１分割缶体Ｄ１側の重量を第２分割缶体Ｄ２の上端周縁２ａで支承するが、例示のように該上端周縁２ａを外側へカーリングした形態とすることで、第２分割缶体Ｄ２側の支持強度を充分に確保できる。
【００２７】
このようなドラム缶風呂では、湯船１がドラム缶Ｄを上下に二分割した一方側の第１分割缶体Ｄ１にて構成されて浅いため、幼稚園児や保育園児の如き小児でも安全に入浴できる。また、両分割缶体Ｄ１，Ｄ２が係止部３によって横ずれのない安定した積み重ね状態に維持されるから、入浴時に両分割缶体Ｄ１，Ｄ２がずれて倒壊するような事故を確実に防止できる。そして、ドラム缶Ｄを上下に二分割した他方側の第２分割缶体Ｄ２を燃焼室２とするため、元のドラム缶Ｄの全体を無駄なく再利用できる上、ドラム缶風呂の組み立てには第２分割缶体Ｄ２上に第１分割缶体Ｄ１を積み重ねるだけでよいから、従来のようなコンクリートブロックや煉瓦、岩石等でかまどを組むのに費やす多大な労力及び時間を解消できる。更に、燃焼室２の周囲が第２分割缶体Ｄ２の周壁で囲まれていることで高い加熱効率が得られると共に、実施形態のように第２分割缶体Ｄ２の周面上部に排煙口４を設けることで、燃焼室２内で発生した燃焼ガス及び煙を効率よく外部へ排出でき、その排出に伴って焚口２０からの空気流入が促進され、高い燃焼効率が得られる。
【００２８】
加えて、このドラム缶風呂では、湯船１の真下に燃焼室２が位置して、且つ該燃焼室２の周囲が湯船１の外周と同径の周壁で囲まれているから、入浴時に湯が溢れたり零れたりしても燃焼室２内には入り込みにくく、燃焼室２内の燃焼中の燃料Ｆに湯がかかって不用意に消火してしまう懸念はないので、従来のかまどのような濡れた燃料Ｆの入替えや再着火のための火起こし等の手間も不要となる。一方、このドラム缶風呂においては、ドラム缶Ｄが上下に二分割されているために嵩張らず、運搬や輸送が容易であり、乗用車内やトラック荷台に対する積み下ろしも楽に行える。
【００２９】
なお、このようなドラム缶風呂では入浴者の足等が湯船の底に触れて火傷するのを防ぐために木製の落とし蓋を用いるのが一般的であるが、実施形態のように該落し蓋７を第１分割缶体Ｄ１の内周下部の浮上がり防止片８に係合して湯船１の底に定置させることで、出入浴の際に該落し蓋７が不用意に浮き上がって足裏を火傷するような事態を未然に防止できる。また、実施形態のように第１分割缶体Ｄ１の上端周縁にゴム又はプラスチック製の縁カバー５を装着する構成によれば、該上端周縁１ａに触れて怪我をする危険性がないから、入浴者が該上端周縁１ａを掴むことで湯船１に出入りし易くなる。
【００３０】
上記実施形態のドラム缶風呂は原材としてクローズドタイプのドラム缶を利用したものであるが、本発明のドラム缶風呂にはオープンタイプのドラム缶も利用可能である。オープンタイプのドラム缶の場合、湯船１とする第１分割缶体Ｄ１には実施形態と同様に元のドラム缶Ｄの底板１２を有する側を用いることになるが、他方側の燃焼室２とする第２分割缶体Ｄ２としては、天板を締結バンドで止着した状態で用いるよりも、該天板を外した状態つまり底のない形態で用いることが推奨される。一方、クローズドタイプのドラム缶Ｄのドラム缶を利用する場合、湯船１とする第１分割缶体Ｄ１として実施形態とは逆に固着天板１３を有する側を用いることも可能である。しかして、固着天板１３には抽出口１４及び通気口１５〔図４（ｂ）参照〕が設けてあるため、湯船１の底にする上でこれら抽出口１４及び通気口１５をキャップ１４ａ，１５ａで塞ぐ必要があるが、これらの一方に排水管を接続して外部へ引き出し、その引き出し部分を止水コック６ａ付きの排水口６とすることもできる。
【００３１】
積み重ねた両分割缶体Ｄ１，Ｄ２相互の横ずれを防止する係止部３は、実施形態では第１分割缶体Ｄ１の下端側の外周面に対するアングル材の溶接による複数の突片状のもので構成しているが、例えば環状突縁や弧状突縁等の種々の形状を採用できると共に、実施形態とは逆に第２分割缶体Ｄ２の上端側に設けたり、両分割缶体Ｄ１，Ｄ２の両方に設けてもよい。また、第１分割缶体Ｄ１の下端側に設ける係止部３は、第２分割缶体Ｄ２の上端側の内外周のいずれに係合するものでもよい。
【００３２】
落し蓋７は、例示した簀の子状のものに限らず、例えば複数の孔を有する円板状のものでもよい。しかして、実施形態では第１分割缶体Ｄ１に設けた浮き上がり防止片８が簀の子板７ａと下枠７ｂとの間の係止溝７０に係合する構造を例示したが、該浮き上がり防止片８が落し蓋７の上面側に係止する構造でもよい。後者の構造では、落し蓋７の板部の周辺に切欠部や非円弧部を設け、該落し蓋７を湯船１に落とし込む際に浮き上がり防止片８をこれら切欠部や非円弧部を通過させ、もって浮き上がり防止片８が落し蓋７の板部より上位になった状態で、落し蓋７を回動させて板部の縁の上面側に係止させればよい。
【００３３】
その他、本発明のドラム缶風呂では、両分割缶体Ｄ１，Ｄ２の高さ比率、第２分割缶体Ｄ２における焚口２０の開口形状と大きさ、排煙口４の径及び形状等、細部構成については実施形態以外に種々設計変更可能である。
【符号の説明】
【００３４】
Ｄ    ドラム缶
Ｄ１  第１分割缶体
Ｄ２  第２分割缶体
Ｆ    燃料
Ｗ    水
１    湯船
１ａ  上端周縁
２    燃焼室
３    係止部
４    排煙口
５    縁カバー
６    排水口
６ａ  止水コック
７    落とし蓋
８    浮上がり防止片
１２  底板
１３  固着天板
【図１】
2018139770.tif 000003
【図２】
2018139770.tif 000004
【図３】
2018139770.tif 000005
【図４】
2018139770.tif 000006
【図５】
2018139770.tif 000007
【図６】
2018139770.tif 000008
【図７】
2018139770.tif 000009